(57)【特許請求の範囲】
【請求項１】
ドレイン接地増幅器とゲート接地増幅器をカスコード接続し、それらの共通ソース抵抗の可変部分を高周波用電界効果トランジスタに換え、上記高周波用電界効果トランジスタのゲートバイアスを外部制御電圧によって変えることによって、発振レベルを設定する連続波ＨＦ帯磁気共鳴装置検出器用自励ＬＣ発振器
【請求項２】
請求項１の上記自励ＬＣ発振器に磁気共鳴信号増幅用低周波増幅器、発振周波数の計測のための高周波増幅器を付加した連続波ＨＦ帯磁気共鳴装置用検出器
【請求項３】
請求項２の上記連続波ＨＦ帯磁気共鳴装置用検出器において発振周波数、発振レベルをＣＰＵによって制御する連続波ＨＦ帯磁気共鳴装置用検出器
【発明の詳細な説明】
【技術分野】
【０００１】  本発明は連続波ＨＦ帯磁気共鳴装置用検出器に関わる。
【背景技術】
【０００２】  凝縮体の核磁気共鳴、ＮＭＲが第二次大戦直後にＰｕｒｃｅｌｌ、Ｂｌｏｃｈのグループより報告された。数年の間に、基本的な問題が理論、実験両面で解明された。電子スピン共鳴ＥＳＲも同様である。技術の進歩は分子構造を決定する化学研究の要求に沿ったものであった。
【特許文献１】  特願  ２００７−３２７９９８
【０００３】  現象発見の初期に開発された上記自励ＬＣ発振器は真空管の陰極結合カスコード接続を用いているが、技術の進歩に伴い、バイポーラトランジスタ、電界効果トランジスタ化された回路が開発された。また変調された低周波信号用の増幅器、発振レベル測定用の高周波増幅器には集積回路も使用されるようになった。上記真空管を用いた自励ＬＣ発振器を用いた検出器は初期には分光器としても使用されたが、連続波法は測定に長時間を要するので、分光器としては程へずしてパルス法が開発され、その普及により、現在では上記自励ＬＣ発振器を用いた検出器は磁場測定器、磁場安定器等の用途に限定されている。上記限定された用途においては、試料の種類、検出器の動作パラメータはこれらの目的に最も適するように選ばれ固定される。また使用される試料は密封される。
【非特許文献２】Ｒ．Ｖ．Ｐｏｕｎｄ  ａｎｄ  Ｗ．Ｄ．Ｋｎｉｇｈｔ，Ｒｅｖ．ｓｃｉ．Ｉｎｓｔｒｕｍ．２１，２１９，１９５０．
【非特許文献３】Ｊ．Ｄ．Ｉｄｏｉｎｅ  ａｎｄ  Ｊ．Ｒ．Ｂｒａｎｄｅｎｂｅｒｇｅｒ，Ｒｅｖ．ｓｃｉ．Ｉｎｓｔｒｕｍ．４２，７１５，１９７１．
【０００４】  しかしながら、磁気共鳴現象観測法としての連続波法は固有の利点を有し、特にＨＦ帯での電子スピン共鳴現象観測には、特殊で高価な電磁石を必要とせず、検出器も高度な技術を必要としないので、性能及び機能は限定されるとしても、安価で汎用性のある機器の構成が容易である（上記特許文献１）。そのためには装置全体は試料の性質を調べることを目的とするように構成、設計されなければならない。このような連続波ＨＦ帯磁気共鳴装置用の自励ＬＣ発振器は、微少なレベルにおいて安定に作動すること、発振のダイナミックレンジが広いこと、広い範囲で周波数が連続可変なことが求められる。本発明は高性能が実証されている上記非特許文献２の回路に準拠し、上記の要求を満たす連続波ＨＦ帯磁気共鳴装置用検出器を提供する。
【発明の開示】
【発明が解決しようとする課題】
【０００５】  本発明の課題は、周波数のみでなく、発振レベルも外部制御電圧によって微少な値より大きな値までスムースに変えられるような発振回路および周辺回路を備えたＨＦ帯磁気共鳴装置用検出器を得ることである。
【課題を解決するための手段】
【０００６】  上記のように良好な性能が示されている上記非特許文献２の真空管と同様な特性をもつ高周波用電界効果トランジスタを増幅回路に用い、発振レベルを設定する共通ソース抵抗の可変部分を同様な特性をもつ高周波用電界効果トランジスタに換え、そのドレイン−ソース間抵抗の抵抗値を外部制御電圧によって制御、設定する。本発明の実施により、上記課題を解決する検出器の製作が可能となり、連続波ＨＦ帯磁気共鳴装置が実現する。
【発明を実施するための最良の形態】
【０００７】  本発明による回路の基本図を図１に示す。本図は回路動作のシミュレーションを行うためのもので、電源のデカップリング、外部制御電圧に対するフィルタリング回路は省略してある。図においてＪ３が上記の抵抗値をゲート電圧によって外部より設定、制御する高周波用電界効果トランジスタである。高周波発振に関わる回路部分は能動素子Ｊ１、Ｊ２、Ｊ３と、それらに接続される受動素子Ｒ１、Ｒ２、Ｒ３、Ｃ２、Ｃ３，Ｃ４，Ｄ１、Ｌ１である。周波数を決定する共振回路はＱが有限なインダクタＬ１とキャパシタＣ４、可変容量ダイオードＤ１の容量の直列容量との並列共振回路である。【０００８】  その他の回路部分は上記自励ＬＣ発振器と組み合わせて検出器ユニットを構成する回路で、Ｊ６，Ｊ７を含む回路部分は発振周波数を計測するカウンタ入力レベルを得るための高周波増幅器である。Ｊ４，Ｊ５を含む回路部分はキャパシタＣ３と組み合わせてＪ２のドレインで検波される微弱な磁気共鳴信号を増幅する前置低周波増幅器である。Ｖ４は可変容量ダイオードＤ１に印加する外部制御電圧、Ｖ２は可変抵抗器Ｊ３のゲートに印加する外部制御電圧である。外部への接続のためのコネクタは本図には含まれていない。【０００９】  図１のシミュレーション結果の一部を図２ａに示す。波形は共振回路端の電圧である。（１）は発振が停止するレベルの直前で発振レベルは１５．９ｍＶｐｐ、制御電圧は−１．９４Ｖである。（２）は高周波増幅器の出力が飽和する直前で発振レベルは、１．０４Ｖｐｐ、制御電圧は−１．８４Ｖである。周波数は約１７ＭＨｚである。Ｌ１＝４μＨ、共振回路の直列容量Ｃ４＝１００ｐＦから逆算すると可変容量ダイオードの容量は約２７ｐＦである。【００１０】  なお本図の回路の能動素子、受動素子の品種、定数は性能の最適化を行ったものではないが、概ね妥当な結果であり、検出器に要求される基本的な動作、性能を有していることが確認された。実機の製作においては、入手性の制約から，汎用的なものを使っている。【００１１】  以上、シミュレーションの一具体例を説明したが本発明の回路素子の品種、定数などは、それらの機能が上記説明のように有機的に結合されていれば、適宜に選定してよい。又それらの一部を集積回路化してもよい。いずれを択ぶかは要求される仕様による技術的、経済的な理由による。【００１２】  図２ｂに本発明により設計、製作した実機での実測結果の一部を示す。波形は高周波増幅器の出力端の電圧である。（１）は発振が停止するレベルの直前で高周波増幅器の出力端において高周波レベルは４０ｍＶｐｐ、制御電圧は−１．１５Ｖである。（２）は出力が飽和する直前でレベルは４１７ｍＶｐｐ、制御電圧は−０．５Ｖである。シミュレーションによる変換率を用いて共振回路端の電圧に換算すると、上記のレベルは、それぞれ４．４ｍＶｐｐと４９．４ｍＶｐｐになる。周波数はシミュレーションと同じ約１７ＭＨｚにセットした。上記のような理由により使用しているデバイスが違うため、シミュレーションとは異なる点があるが、発振動作と高周波レベルのスムースな可変性が確認された。【００１３】  本発明による上記自励ＬＣ発振器を用いた検出器において周波数安定性、発振レベル安定��、発振レベルのダイナミックレンジ、雑音レベルなど連続波ＨＦ帯磁気共鳴装置用検出器として実用し得る機能、性能を有することが確認された。図３ａに２４ＭＨｚでの陽子核磁気共鳴の観測例を示す。試料は大島椿油である。移動平均化は行っていない。図３ｂに１７ＭＨｚでの電子スピン共鳴の観測例を示す。試料はＤＰＰＨの微粉末である。本例では上記特許文献１に示したスプリアス補正移動平均化を行っている。試料管の内直径はいずれも４ｍｍである。
【図面の簡単な説明】
【００１４】
【図１】本発明の回路の基本図である。
【図２ａ】図１の回路のシミュレーション結果である。
【図２ｂ】実機の実測結果である。
【図３ａ】核磁気共鳴の観測例である。
【図３ｂ】電子スピン共鳴の観測例である。
【符号の説明】
【００１５】  図１において
Ｊ    高周波用電界効果トランジスタ
Ｄ    可変容量ダイオード
Ｌ    インダクタ
Ｒ    抵抗器
Ｃ    キャパシタ
【図１】
0004753189.tif 000002
【図２ａ】
0004753189.tif 000003
【図２ｂ】
0004753189.tif 000004
【図３ａ】
0004753189.tif 000005
【図３ｂ】
0004753189.tif 000006